(57)【要約】【課題】容量の小さなキャパシタを能動的に制御することにより、等価的に大きなキャパシタと同等の平滑作用をさせるアクティブ制御キャパシタ装置を提供する。【解決手段】直流負荷の両端に接続された第１のキャパシタと、第１のスイッチ回路と、第１のスイッチ回路に直列接続された第２のスイッチ回路と、第１のスイッチ回路と第２のスイッチ回路が直列接続された回路の両端に接続された第２のキャパシタと、第１のスイッチ回路と第２のスイッチ回路との接続点と、第１のキャパシタの正側端子との間に接続された第１のリアクトルと、を含み、第１のキャパシタの負側端子と第２のキャパシタの負側端子とが共通接続される昇圧型の電流可逆チョッパ回路を含み、前記キャパシタ電流を能動的に制御することを特徴とするアクティブ制御キャパシタ装置。【選択図】図１
2007097258.tif 000002
【特許請求の範囲】
【請求項１】
エネルギー蓄積要素としてのキャパシタを有する電流可逆チョッパ回路を含み、前記キャパシタ電流を能動的に制御することを特徴とするアクティブ制御キャパシタ装置。
【請求項２】
請求項１に記載のアクティブ制御キャパシタ装置において、
電流可逆チョッパ回路は、
直流負荷の両端に接続された第１のキャパシタと、
第１のスイッチ回路と、
第１のスイッチ回路に直列接続された第２のスイッチ回路と、
第１のスイッチ回路と第２のスイッチ回路が直列接続された回路の両端に接続された第２のキャパシタと、
第１のスイッチ回路と第２のスイッチ回路との接続点と、第１のキャパシタの正側端子との間に接続された第１のリアクトルと、
を含み、
第１のキャパシタの負側端子と第２のキャパシタの負側端子とが共通接続される昇圧型の電流可逆チョッパ回路であることを特徴とするアクティブ制御キャパシタ装置。
【請求項３】
請求項２に記載のアクティブ制御キャパシタ装置において、
電流可逆チョッパ回路は、第１のキャパシタに流れる電流量を零に近づけるスイッチングを行うことを特徴とするアクティブ制御キャパシタ装置。
【請求項４】
請求項２または３に記載のアクティブ制御キャパシタ装置において、
電流可逆チョッパ回路は、第１のリアクトルに流れる電流量が、第１のキャパシタに流れる電流量のゲイン倍となるスイッチングを行うことを特徴とするアクティブ制御キャパシタ装置。
【請求項５】
請求項２〜４のいずれかに記載のアクティブ制御キャパシタ装置において、
電流可逆チョッパ回路は、第１のリアクトルに流れる電流量および／または第２のキャパシタにかかる電圧量が許容値を超えないスイッチングを行うことを特徴とするアクティブ制御キャパシタ装置。
【請求項６】
請求項１に記載のアクティブ制御キャパシタ装置において、
電流可逆チョッパ回路は、
第３のスイッチ回路と、
第３のスイッチ回路に直列接続された第４のスイッチ回路と、
第３のスイッチ回路と第４のスイッチ回路が直列接続された回路の両端に接続された第３のキャパシタと、
負側端子が第３のキャパシタの負側端子と共通接続される第４のキャパシタと、
第３のスイッチ回路と第４のスイッチ回路との接続点と、第４のキャパシタの正側端子との間に接続された第２のリアクトルと、
を含み、
第３のキャパシタの両端が直流負荷に接続される降圧型の電流可逆チョッパ回路であることを特徴とするアクティブ制御キャパシタ装置。
【請求項７】
請求項６に記載のアクティブ制御キャパシタ装置において、
電流可逆チョッパ回路は、第３のキャパシタに流れる電流量を零に近づけるスイッチングを行うことを特徴とするアクティブ制御キャパシタ装置。
【請求項８】
請求項６または７に記載のアクティブ制御キャパシタ装置において、
電流可逆チョッパ回路は、第３のスイッチ回路に流れる電流の平均量が、第３のキャパシタに流れる電流量のゲイン倍となるスイッチングを行うことを特徴とするアクティブ制御キャパシタ装置。
【請求項９】
請求項６〜８のいずれかに記載のアクティブ制御キャパシタ装置において、
電流可逆チョッパ回路は、第３のスイッチ回路に流れる電流の平均量および／または第４のキャパシタにかかる電圧量が許容値を超えないスイッチングを行うことを特徴とするアクティブ制御キャパシタ装置。
【発明の詳細な説明】
【技術分野】
【０００１】
本発明は、容量の小さなキャパシタを能動的に制御することにより、等価的に大きなキャパシタと同等の平滑作用をさせるアクティブ制御キャパシタ装置に関する。
【背景技術】
【０００２】
従来、整流回路等に用いられるキャパシタは、その平滑作用を向上させるために容量を増やす手段がとられていた。しかしながら、キャパシタの容量を増大するためには、寿命の点で問題のある電解コンデンサを用いる必要があり、装置の大型化とコストの上昇を招くなどの問題点があった。
【０００３】
このため、本発明者らは、過去の研究において、電流可逆チョッパ回路と平滑キャパシタを組み合わせ、平滑キャパシタの充放電制御をするアクティブ制御法を提案した（非特許文献１参照。）。図１４に、非特許文献１にて提案した制御システムの概略図を示す。これは、平滑キャパシタの端子電圧を検出して、電圧脈動が抑制できるように電流可逆チョッパ回路をスイッチ制御することにより平滑動作をさせる。
【０００４】
【非特許文献１】浅井、北條、大西「平滑用キャパシタのアクティブ制御」平成１５年電気学会全国講演論文集４−０７８
【発明の開示】
【発明が解決しようとする課題】
【０００５】
本発明者は、非特許文献１に提案の技術から派生して、より有効な制御法を研究した結果、本発明に到達した。即ち、本発明の目的は、容量の小さなキャパシタを能動的に制御することにより、等価的に大きなキャパシタと同等の平滑作用をさせるアクティブ制御キャパシタ装置において、より有効な装置を提供することにある。
【課題を解決するための手段】
【０００６】
第１の観点では、本発明は、エネルギー蓄積要素としてのキャパシタを有する電流可逆チョッパ回路を含み、前記キャパシタ電流を能動的に制御することを特徴とするアクティブ制御キャパシタ装置を提供する。
上記第１の観点によるアクティブ制御キャパシタ装置では、電流可逆チョッパ回路が有するキャパシタに流れる電流を電流可逆チョッパ回路のスイッチングにより能動的に制御することにより、キャパシタの充放電の制御、すなわちキャパシタ容量の有効活用を可能とする。
【０００７】
第２の観点では、本発明は、第１の観点によるアクティブ制御キャパシタ装置において、電流可逆チョッパ回路は、直流負荷の両端に接続された第１のキャパシタと、第１のスイッチ回路と、第１のスイッチ回路に直列接続された第２のスイッチ回路と、第１のスイッチ回路と第２のスイッチ回路が直列接続された回路の両端に接続された第２のキャパシタと、第１のスイッチ回路と第２のスイッチ回路との接続点と、第１のキャパシタの正側端子との間に接続された第１のリアクトルと、を含み、第１のキャパシタの負側端子と第２のキャパシタの負側端子とが共通接続される昇圧型の電流可逆チョッパ回路であることを特徴とするアクティブ制御キャパシタ装置を提供する。
上記第２の観点によるアクティブ制御キャパシタ装置では、電流可逆チョッパ回路が昇圧型であり、例えば、図１に示す回路構成とすることができる。なお、各スイッチ回路（１１、１２）は、方向性を有するスイッチング素子（たとえば、ＩＧＢＴであり、図中の１１ａと１２ａ。）と、このスイッチング素子（１１ａ、１２ａ）に逆並列接続されたダイオード（１１ｂ、１２ｂ）を用いて実現できる。ここで、図１の回路は、各スイッチ回路（１１、１２）の各スイッチング素子（１１ａ、１２ａ）のオンオフ切り替えにより、いくつかの接続状態が可能であり、例えば、図２（ａ）、（ｂ）に示す２種類の接続状態が可能である。図２（ａ）は、第１のスイッチ回路（１１）がオフ、第２のスイッチ回路（１２）がオン、図２（ｂ）は、第１のスイッチ回路（１１）がオンで第２のスイッチ回路（１２）がオフ時の接続状態を示す。
次に、図２を用いて、第２のキャパシタ（１４）の充放電の原理を説明する。なお、図２には、点線にて代表的な電流の流れを示す。まず、図２（ａ）では、第２のスイッチ回路（１２）が短絡状態のため、点線で示すように、第１のリアクトル（１５）を流れる電流が第２のスイッチ回路（１２）を経て直流負荷（３０）端へスルーする。次に、図２（ｂ）で示すように、第２のスイッチ回路（１２）をオフとすると、第１のリアクトル（１５）に流れる電流は、第１のスイッチ回路（１１）のダイオードを通過し、点線の経路にて第２のキャパシタ（１４）を充電する。また、図２（ｂ）では、第２のキャパシタ（１４）に十分な電荷が充電されると、第１のスイッチ回路（１１）がオンであるため、第１のスイッチ回路（１１）と第１のリアクトル（１５）を経て点線の経路にて放電が可能となる。よって、これらの接続状態を切り替えることにより、第２のキャパシタ（１４）の充放電を制御することができる。
【０００８】
第３の観点では、本発明は、第２の観点によるアクティブ制御キャパシタ装置において、電流可逆チョッパ回路は、第１のキャパシタに流れる電流量を零に近づけるスイッチングを行うことを特徴とするアクティブ制御キャパシタ装置を提供する。
上記第３の観点によるアクティブ制御キャパシタ装置では、電流可逆チョッパ回路にて、第１のキャパシタに流れる電流量が零に近づくスイッチングを行うことにより、直流負荷電圧の変動を小さく抑えることを特徴とする。
【０００９】
第４の観点では、本発明は、第２または第３の観点によるアクティブ制御キャパシタ装置において、電流可逆チョッパ回路は、第１のリアクトルに流れる電流量が、第１のキャパシタに流れる電流量のゲイン倍となるスイッチングを行うことを特徴とするアクティブ制御キャパシタ装置を提供する。
上記第４の観点によるアクティブ制御キャパシタ装置では、電流可逆チョッパ回路のスイッチングにて、第１のリアクトルに流れる電流量を第１のキャパシタに流れる電流量のゲイン倍とすることで、第２のキャパシタを、第１のキャパシタにとっておよそゲイン倍のミラー的なキャパシタとして動作させることを特徴とする。
【００１０】
第５の観点では、本発明は、第２〜４のいずれかの観点によるアクティブ制御キャパシタ装置において、電流可逆チョッパ回路は、第１のリアクトルに流れる電流量および／または第２のキャパシタにかかる電圧量が許容値を超えないスイッチングを行うことを特徴とするアクティブ制御キャパシタ装置を提供する。
上記第５の観点によるアクティブ制御キャパシタ装置では、第１のリアクトルに流れる電流量および／または第２のキャパシタにかかる電圧量を検知し、それらの量が、素子の耐圧や回路の仕様等により定まる許容値内におさまるように電流可逆チョッパ回路のスイッチングを行う。
【００１１】
第６の観点では、本発明は、第１の観点によるアクティブ制御キャパシタ装置において、電流可逆チョッパ回路は、第３のスイッチ回路と、第３のスイッチ回路に直列接続された第４のスイッチ回路と、第３のスイッチ回路と第４のスイッチ回路が直列接続された回路の両端に接続された第３のキャパシタと、負側端子が第３のキャパシタの負側端子と共通接続される第４のキャパシタと、第３のスイッチ回路と第４のスイッチ回路との接続点と、第４のキャパシタの正側端子との間に接続された第２のリアクトルと、を含み、第３のキャパシタの両端が直流負荷に接続される降圧型の電流可逆チョッパ回路であることを特徴とするアクティブ制御キャパシタ装置を提供する。
上記第６の観点によるアクティブ制御キャパシタ装置では、電流可逆チョッパ回路が降圧型であり、例えば、図３に示す回路構成とすることができる。なお、各スイッチ回路（２１、２２）は、方向性を有するスイッチング素子（たとえば、ＩＧＢＴであり、図中の２１ａと２２ａ。）と、このスイッチング素子（２１ａ、２２ａ）に逆並列接続されたダイオード（２１ｂ、２２ｂ）を用いて実現できる。ここで、図３の回路は、各スイッチ回路（２１、２２）の各スイッチング素子（２１ａ、２２ａ）のオンオフ切り替えにより、いくつかの接続状態が可能であり、例えば、図４（ａ）、（ｂ）に示す２種類の接続状態が可能である。図４（ａ）は、第３のスイッチ回路（２１）がオン、第４のスイッチ回路（２２）がオフ、図４（ｂ）は、第３のスイッチ回路（２１）がオフで第４のスイッチ回路（２２）がオン時の接続状態を示す。
次に、図４を用いて、第４のキャパシタ（２４）の充放電の原理を説明する。なお、図４には、点線にて代表的な電流の流れを示す。まず、図４（ａ）では、第３のスイッチ回路（２１）が短絡状態のため、点線で示すように、直流負荷（３０）の正側端子からの電流が、第３のスイッチ回路（２１）と第２のリアクトル（２５）を経て、第４のキャパシタ（２４）を充電する。次に、図４（ｂ）で示すように、第３のスイッチ回路（２１）をオフとすると、第４のキャパシタ（２４）への充電は止まり、また、同時に第４のスイッチ回路（２２）を短絡とするため、第２のリアクトル（２５）に流れる電流が第４のキャパシタ（２４）と第４のスイッチ回路（２２）を経て点線の経路にて循環する。そして、第２のリアクトル（２５）から第４のキャパシタ（２４）にエネルギーが蓄積されてから、再び第４のスイッチ回路（２２）をオフとすると、第２のリアクトル（２５）と第３のスイッチ回路（２１）のダイオードを経て、図４（ａ）に示す点線の経路にて第４のキャパシタ（２４）の放電が可能となる。よって、これらの接続状態を切り替えることにより、第４のキャパシタ（２４）の充放電を制御することができる。
【００１２】
第７の観点では、本発明は、第６の観点によるアクティブ制御キャパシタ装置において、電流可逆チョッパ回路は、第３のキャパシタに流れる電流量を零に近づけるスイッチングを行うことを特徴とするアクティブ制御キャパシタ装置を提供する。
上記第７の観点によるアクティブ制御キャパシタ装置では、電流可逆チョッパ回路にて、第３のキャパシタに流れる電流量が零に近づくスイッチングを行うことにより、直流負荷電圧の変動を小さく抑えることを特徴とする。
【００１３】
第８の観点では、本発明は、第６または第７の観点によるアクティブ制御キャパシタ装置において、電流可逆チョッパ回路は、第３のスイッチ回路に流れる電流の平均量が、第３のキャパシタに流れる電流量のゲイン倍となるスイッチングを行うことを特徴とするアクティブ制御キャパシタ装置を提供する。
上記第８の観点によるアクティブ制御キャパシタ装置では、電流可逆チョッパ回路のスイッチングにて、第３のスイッチ回路に流れる電流の平均量を第３のキャパシタに流れる電流量のゲイン倍とすることで、第４のキャパシタを、第３のキャパシタにとっておよそゲイン倍のミラー的なキャパシタとして動作させることを特徴とする。
【００１４】
第９の観点では、本発明は、第６〜８のいずれかの観点によるアクティブ制御キャパシタ装置において、電流可逆チョッパ回路は、第３のスイッチ回路に流れる電流の平均量および／または第４のキャパシタにかかる電圧量が許容値を超えないスイッチングを行うことを特徴とするアクティブ制御キャパシタ装置を提供する。
上記第９の観点によるアクティブ制御キャパシタ装置では、第３のスイッチ回路に流れる電流の平均量および／または第４のキャパシタにかかる電圧量を検知し、それらの量が、素子の耐圧や回路の仕様等により定まる許容値内におさまるように電流可逆チョッパ回路のスイッチングを行う。
【発明の効果】
【００１５】
本発明によれば、容量の小さなキャパシタの充放電を能動的に制御することにより、容量の小さなキャパシタの並列合成容量よりも大きな容量のキャパシタとして平滑作用を実現できる。このため、例えば、平滑用キャパシタを有する電源装置であれば、コンデンサの小型化による装置の小型化が可能であり、また、コンデンサを小型化せずに同容量のコンデンサを用いるのであれば、平滑作用を向上することができる。
【発明を実施するための最良の形態】
【００１６】
以下、図面を参照して本発明の実施形態を説明する。なお、これにより本発明が限定されるものではない。
【００１７】
（第１の実施の形態）
商用交流電源からＡＣ−ＤＣ変換器により直流電源を取り出す直流電源装置において、直流負荷端に接続される平滑用コンデンサのかわりに本発明のアクティブ制御キャパシタ装置を接続する。これにより、例えば、本発明のアクティブ制御キャパシタ装置に備わるキャパシタの静電容量の合計が、平滑用コンデンサを単体で用いる場合の静電容量と同じである場合、直流負荷端の電圧変動を、平滑用コンデンサを単体で用いる場合に比べ、より抑えることができる。すなわち、平滑用コンデンサを単体で用いる場合と同等の平滑動作であれば、静電容量の低いコンデンサの組み合わせにより実現することができる。
【００１８】
（第２の実施の形態）
商用交流電源からＡＣ−ＤＣ変換器により直流に変換される電力系統において、本発明のアクティブ制御キャパシタ装置を直流負荷端に接続することにより、瞬時停電補償装置として用いることができる。
【００１９】
（第３の実施の形態）
本発明のアクティブ制御キャパシタ装置において、電流可逆チョッパ回路が昇圧型である場合、第２のキャパシタのかわりに、回路の使用条件範囲内の起電力を有する直流電圧源を用いることができる。
【００２０】
（第４の実施の形態）
本発明のアクティブ制御キャパシタ装置において、電流可逆チョッパ回路が降圧型である場合、第４のキャパシタのかわりに、回路の使用条件範囲内の起電力を有する直流電圧源を用いることができる。
【００２１】
以下、本発明の実施例を説明する。
【実施例１】
【００２２】
本発明のアクティブ制御キャパシタ装置において、電流可逆チョッパ回路が昇圧型であり、チョッパ回路をＰＷＭ制御する場合に、第１のキャパシタに流れる電流値を通流幅の演算にフィードバックし、場合によっては、過電圧、過電流保護や通流幅の演算のために、第１のリアクトルに流れる電流値および／または第２のキャパシタにかかる電圧値をＰＷＭ制御にフィードバックした場合の装置構成概略図を図５に示す。図５にて、４０は、ＰＷＭ信号を演算して各スイッチング素子（１１ａ、１２ａ）にスイッチング信号を出力するＰＷＭ制御部、４１は、第１のキャパシタ（１３）に流れる電流値を検出する第１の電流検出器、４２は、第１のリアクトル（１５）に流れる電流値を検出する第２の電流検出器、４３は、第２のキャパシタ（１４）にかかる電圧値を検出する第１の電圧検出器である。ＰＷＭ制御部（４０）は、スイッチング信号を演算する際、第１の電流検出器（４１）からの検出値を用い、場合によっては、第２の電流検出器（４２）および／または第１の電圧検出器（４３）からの検出値を演算に用いる。
【００２３】
図５の装置構成において、交流電源電圧の実行値が１００［Ｖ］、交流電源周波数が６０［Ｈｚ］、直流負荷の抵抗値が１００［Ω］、負荷側のインダクタンスが０．５［ｍＨ］、第１のキャパシタ容量が５０［μＦ］、第２のキャパシタ容量が２００［μＦ］、第１のリアクトルのインダクタンスが０．２［ｍＨ］、第１のリアクトルに流れる電流の許容値が１０［Ａ］、第２のキャパシタにかかる電圧の許容値が４００［Ｖ］、ＰＷＭ制御のスイッチング周波数が１５［ｋＨｚ］の条件にて、第１の電流検出器（４１）の電流値が零に近づくようにＰＷＭ制御部（４０）にて通流幅を制御した場合のシミュレーション結果を図６に示す。図６中のＶｄは、負荷端での電圧、ＶＨは、第２のキャパシタ端での電圧の時間経過である。また、比較のため、本発明のアクティブ制御キャパシタ装置のかわりに、キャパシタ容量２５０［μＦ］のコンデンサを単体で直流負荷端に接続した場合の負荷端での電圧のシミュレーション結果を図７のＶｄ１にて示す。これより、Ｖｄ１に比べ、Ｖｄの変動が抑えられていることがわかる。
【実施例２】
【００２４】
実施例１と同じ図５の装置構成において、交流電源電圧の実行値が１００［Ｖ］、交流電源周波数が６０［Ｈｚ］、直流負荷の抵抗値が２００［Ω］、負荷側のインダクタンスが０．５［ｍＨ］、第１のキャパシタ容量が５０［μＦ］、第２のキャパシタ容量が２００［μＦ］、第１のリアクトルのインダクタンスが０．２［ｍＨ］、ＰＷＭ制御のスイッチング周波数が１５［ｋＨｚ］の条件にて、第２の電流検出器（４２）の電流値が第１の電流検出器（４１）の電流値のゲイン倍となるようにＰＷＭ制御部（４０）にて通流幅を制御した場合のシミュレーション結果を図８に示す。図８中のＶｄは、負荷端での電圧、ＶＨは、第２のキャパシタ端での電圧の時間経過である。また、比較のため、本発明のアクティブ制御キャパシタ装置のかわりに、キャパシタ容量２５０［μＦ］のコンデンサを単体で直流負荷端に接続した場合の負荷端での電圧のシミュレーション結果を図９のＶｄ２にて示す。これより、Ｖｄ２に比べ、Ｖｄの変動が抑えられていることがわかる。また、本発明のアクティブ制御キャパシタ装置のかわりに、キャパシタ容量１００００［μＦ］のコンデンサを単体で直流負荷端に接続した場合の負荷端での電圧のシミュレーション結果を図１０のＶｄ３にて示す。これより、Ｖｄは、Ｖｄ３と同等の変動に抑えられていることがわかる。
【実施例３】
【００２５】
実施例１と同じ図５の装置構成において、直流基準電圧が５０［Ｖ］、交流電源周波数が６０［Ｈｚ］、直流負荷の抵抗値が１００［Ｗ］時に２５［Ω］、負荷側のインダクタンスが０．５［ｍＨ］、第１のキャパシタ容量が１００［μＦ］、第２のキャパシタ容量が２２０［μＦ］、第１のリアクトルのインダクタンスが０．５［ｍＨ］、ＰＷＭ制御のスイッチング周波数が２０［ｋＨｚ］の条件にて、第１の電流検出器（４１）の電流値が零に近づくようにＰＷＭ制御部（４０）にて通流幅を制御した場合の実験結果を図１１に示す。図１１中のＶｄは、負荷端での電圧、ＶＨは、第２のキャパシタ端での電圧の時間経過である。また、比較のため、本発明のアクティブ制御キャパシタ装置のかわりに、キャパシタ容量３２０［μＦ］のコンデンサを単体で直流負荷端に接続した場合の負荷端での電圧の実験結果を図１２のＶｄ４にて示す。これより、Ｖｄ４に比べ、Ｖｄの変動が抑えられていることがわかる。また、本発明のアクティブ制御キャパシタ装置のかわりに、キャパシタ容量２３００［μＦ］のコンデンサを単体で直流負荷端に接続した場合の負荷端での電圧の実験結果を図１３のＶｄ５にて示す。これより、Ｖｄは、Ｖｄ５と同等の変動に抑えられていることがわかる。
【図面の簡単な説明】
【００２６】
【図１】第２の観点によるアクティブ制御キャパシタ装置の回路構成例である。
【図２】図１の回路構成例のスイッチングによる接続状態例である。
【図３】第６の観点によるアクティブ制御キャパシタ装置の回路構成例である。
【図４】図３の回路構成例のスイッチングによる接続状態例である。
【図５】実施例１に係る装置構成概略図である。
【図６】実施例１に係る装置のシミュレーション結果例である。
【図７】図６の結果例の比較例である。
【図８】実施例２に係る装置のシミュレーション結果例である。
【図９】図８の結果例の比較例である。
【図１０】図８の結果例の比較例である。
【図１１】実施例３に係る装置の実験結果例である。
【図１２】図１１の結果例の比較例である。
【図１３】図１１の結果例の比較例である。
【図１４】非特許文献１にて提案した制御システムの概略図である。
【符号の説明】
【００２７】
１０…昇圧型電流可逆チョッパ回路
１１…第１のスイッチ回路
１１ａ…ＩＧＢＴ
１１ｂ…ダイオード
１２…第２のスイッチ回路
１２ａ…ＩＧＢＴ
１２ｂ…ダイオード
１３…第１のキャパシタ
１４…第２のキャパシタ
１５…第１のリアクトル
２０…降圧型電流可逆チョッパ回路
２１…第３のスイッチ回路
２１ａ…ＩＧＢＴ
２１ｂ…ダイオード
２２…第４のスイッチ回路
２２ａ…ＩＧＢＴ
２２ｂ…ダイオード
２３…第３のキャパシタ
２４…第４のキャパシタ
２５…第２のリアクトル
３０…直流負荷
４０…ＰＷＭ制御部
４１…第１の電流検出器
４２…第２の電流検出器
４３…第１の電圧検出器
１００…アクティブ制御キャパシタ装置
【図１】
2007097258.tif 000003
【図２】
2007097258.tif 000004
【図３】
2007097258.tif 000005
【図４】
2007097258.tif 000006
【図５】
2007097258.tif 000007
【図６】
2007097258.tif 000008
【図７】
2007097258.tif 000009
【図８】
2007097258.tif 000010
【図９】
2007097258.tif 000011
【図１０】
2007097258.tif 000012
【図１１】
2007097258.tif 000013
【図１２】
2007097258.tif 000014
【図１３】
2007097258.tif 000015
【図１４】
2007097258.tif 000016